(57)【要約】【課題】手に持って使用するハンディクリーナにおいて、耳障りな音の音量を低減する機能を、吸塵機能を損なうことなく且つ手持ち式となる小型の掃除機のサイズに対応させて付加する。【解決手段】ハウジング２０は、半割り成形品となる左側半割りハウジング２１と右側半割りハウジング２２とを合体させてることにより形成される。ここで、左側半割りハウジング２１と右側半割りハウジング２２との合体によって、ハウジング２０には共鳴室４００が形成されるようになっており、このハウジング２０の形成と同時に共鳴器４０を形成することができるようになっている。この共鳴器４０は、送風機構３０により生ずる音を低減する機能を有しているので、排気口２８に遮音のための通気スポンジを取り付けることなくなり吸塵機能の低下を抑えて、手持ち式となる小型の掃除機のサイズに対応しながら耳障りな音の音量を低減することができる。【選択図】図２
2012120634.tif 000002
【特許請求の範囲】
【請求項１】
手に持って使用するハンディクリーナであって、
対称構造にて分割された半割り成形品を合体させて形成されるハウジングと、該ハウジング内に装置され吸塵のための風を発生する送風機構とを備え、
前記送風機構により生じる音を低減する共鳴器が、前記ハウジングの前記半割り成形品の合体にて共鳴室を形成することにより該ハウジングに配設されることを特徴とするハンディクリーナ。
【請求項２】
手に持って使用するハンディクリーナであって、
ハウジングと、該ハウジング内に装置され吸塵のための風を発生する送風機構とを備え、
前記送風機構は、前記ハウジングに固定されるベース部材と、該ベース部材に回転可能に支持されつつ駆動モータからの回転駆動力を受けて回転する遠心式ファンとを備え、
前記遠心式ファンの回転により生じる音を低減する共鳴器が、前記ベース部材に共鳴室を形成することにより該ベース部材に配設されることを特徴とするハンディクリーナ。
【請求項３】
請求項２に記載のハンディクリーナにおいて、
前記ベース部材には、該ベース部材自身の剛性を高める補強リブが形成されており、
前記共鳴室は、前記補強リブを仕切り壁として利用して形成されることを特徴とするハンディクリーナ。
【発明の詳細な説明】
【技術分野】
【０００１】
本発明は、手持ち式小型掃除機とも称され、手に持って使用するハンディクリーナに関する。
【背景技術】
【０００２】
手持ち式小型掃除機とも称され、手に持って使用することができるハンディクリーナが知られている。このようなハンディクリーナは、概略、外装をなすハウジングと、ハウジング内に装置される吸塵機構とにより構成される。この吸塵機構は、吸気するための送風機能と、吸気された風を濾過するフィルタ機能とを有する。ここで送風機能には、概略、駆動源となる電動モータと、電動モータにより回転して送風するファンとを備える。なお、ファンの回転により発生させた（吸引）風は、吸塵口からハウジング内へ吸気し、ハウジング内で濾過した後にハウジングに設けられた排気口からハウジング外へ排気するように作用する。
一方、このように送風するファンは、上記したように回転すると、耳障りな音を発生させる。なお、この耳障りな音としては、ファンの羽数および回転速度に依存して周波数（例えば２０００〜５０００Ｈｚ）が異なる音である。このため、従来では、この耳障りな音がハウジングの外に出てしまわないように、排気口に通気を可能にしながら遮音する通気スポンジが取り付けられていた。しかしながら、このように通気スポンジにより排気口を遮音していると、この通気スポンジの存在によって、排気口の通気性は少なからず損なわれてしまう。このように吸塵機構によって送風される風の通気性が損なわれることとなると、送風流量が少なくなり、ハンディクリーナの吸塵能力を低下させてしまう。
【０００３】
他方、下記特許文献１には、電気掃除機の消音装置が開示されている。この特許文献１に開示される電気掃除機の消音装置によれば、排気口に遮音のための通気スポンジを取り付けることなく、耳障りな音を低減することができる。これにより、排気口の通気性を維持することができて、ハンディクリーナの吸塵能力の低下も招くことは無くなる。
【先行技術文献】
【特許文献】
【０００４】
【特許文献１】特許第３０７１９７７号公報
【発明の概要】
【発明が解決しようとする課題】
【０００５】
ところで上記した電気掃除機の消音装置にあっては、床に置いて使用する電気掃除機に対して組み込むのには何ら問題無く組み込むことができる。しかしながら、ハンディクリーナのように手持ち式となるような小型に構成される掃除機に組み込むには、ハンディクリーナの内蔵可能なスペースを鑑みて省スペース化を図りながら組み込むことが要請されている。
【０００６】
本発明は、このような事情に鑑みなされたものであって、本発明が解決しようとする課題は、手に持って使用することができるハンディクリーナにおいて、耳障りな音の音量を低減する機能を、吸塵機能を損なうことなく且つ手持ち式となる小型の掃除機のサイズに対応させて付加することにある。
【課題を解決するための手段】
【０００７】
上記した課題を解決するにあたって、本発明に係るハンディクリーナは次の手段を採用する。
すなわち、本発明の第１の発明に係るハンディクリーナは、手に持って使用するハンディクリーナであって、対称構造にて分割された半割り成形品を合体させて形成されるハウジングと、該ハウジング内に装置され吸塵のための風を発生する送風機構とを備え、前記送風機構により生じる音を低減する共鳴器が、前記ハウジングの前記半割り成形品の合体にて共鳴室を形成することにより該ハウジングに配設されることを特徴とする。なお、この共鳴器は、『ヘルムホルツ型共鳴器』であったり、『サイドブランチ型共鳴器』であったりしてもよいものである。
【０００８】
この第１の発明に係るハンディクリーナによれば、ハウジングの半割り成形品の合体させて共鳴室を形成することによりハウジングに共鳴器が配設されるので、共鳴器を配設するに際して、ハウジングの形成と同時に共鳴器を形成することができる。なお、この共鳴器は、送風機構により生ずる音を低減する機能を有しているので、排気口に遮音のための通気スポンジを取り付ける必要を無くすことができる。したがって、この第１の発明に係るハンディクリーナによれば、耳障りな音の音量を低減する機能を、吸塵機能を損なうことなく且つ手持ち式となる小型の掃除機のサイズに対応させて付加することができる。また、上記した共鳴室は、内部を空洞化した構造にて形成される。ここで、半割り成形品の合体させるハウジング構造は、内部を空洞化する筐体構造や共鳴室構造に有利な形成方法である。このため、この半割り成形品を合体させるハウジング構造を用いてハウジングと共鳴室との両者を同時に形成した場合には、内部が空洞化したハウジングと共鳴器との製造を簡単化することができ、共鳴器を取付ける部材を削減して共鳴室の拡張も図ることができる。
【０００９】
本発明の第２の発明に係るハンディクリーナは、手に持って使用するハンディクリーナであって、ハウジングと、該ハウジング内に装置され吸塵のための風を発生する送風機構とを備え、前記送風機構は、前記ハウジングに固定されるベース部材と、該ベース部材に回転可能に支持されつつ駆動モータからの回転駆動力を受けて回転する遠心式ファンとを備え、前記遠心式ファンの回転により生じる音を低減する共鳴器が、前記ベース部材に共鳴室を形成することにより該ベース部材に配設されることを特徴とする。なお、この共鳴器は、『ヘルムホルツ型共鳴器』であったり、『サイドブランチ型共鳴器』であったりしてもよいものである。
この第２の発明に係るハンディクリーナによれば、遠心式ファンの回転により生じる音を低減する共鳴器が、ベース部材に共鳴室を形成することによりベース部材に配設されるので、ハウジング内に組み込みたい共鳴器を、音源となる遠心式ファンの近くに効率良く配設することができて配設サイズの小型化を図ることができる。これによって、遠心式ファンの回転により生じる耳障りな音を低減することができて、排気口に遮音のための通気スポンジを取り付ける必要を無くすことができる。したがって、この第２の発明に係るハンディクリーナによれば、耳障りな音の音量を低減する機能を、吸塵機能を損なうことなく且つ手持ち式となる小型の掃除機のサイズに対応させて付加することができ、共鳴室を効率良く形成することができて携帯性が重視されるハンディクリーナにとって有利となる。
【００１０】
第３の発明に係るハンディクリーナは、前記第２の発明に係るハンディクリーナにおいて、前記ベース部材には、該ベース部材自身の剛性を高める補強リブが形成されており、前記共鳴室は、前記補強リブを仕切り壁として利用して形成されることを特徴とする。
この第３の発明に係るハンディクリーナによれば、ベース部材にはベース部材自身の剛性を高める補強リブが形成されており、共鳴室は補強リブを仕切り壁として利用して形成されるので、ハウジング内に組み込まれる共鳴器の共鳴室を、従前から配設される部分を利用して形成することができる。なお、この補強リブは、ベース部材自身の剛性を高めつつベース部材の軽量化を図るために設けられるものであるため、この補強リブの周囲は、いわゆる肉抜き（余分な樹脂部分が抜かれた）構造となっている。このため、従前においては、共鳴室の形成に有利な肉抜きのデッドスペースとなっている。これによって、補強リブを仕切り壁として利用して共鳴室を形成すると、このデッドスペースを有効的に活かすこととなり、省スペースで共鳴器を形成することができることとなる。これによって、携帯性が重視されるハンディクリーナにとって、このハンディクリーナの小型化を維持したまま、共鳴器を形成することができる。
【発明の効果】
【００１１】
第１の発明に係るハンディクリーナによれば、吸塵機能を損なうことなく且つ手持ち式となる小型の掃除機のサイズに対応させて付加することができ、内部が空洞化した共鳴器の製造を簡単化することができ、共鳴器を取付ける部材を削減して共鳴室の拡張も図ることができる。
第２の発明に係るハンディクリーナによれば、吸塵機能を損なうことなく且つ手持ち式となる小型の掃除機のサイズに対応させて付加することができ、共鳴室を効率良く形成することができて携帯性が重視されるハンディクリーナにとって有利となる。
第３の発明に係るハンディクリーナによれば、携帯性が重視されるハンディクリーナにとって、このハンディクリーナの小型化を維持したまま共鳴器を形成することができる。
【図面の簡単な説明】
【００１２】
【図１】ハンディクリーナの前面斜視の外観を示す外観斜視図である。
【図２】第１の実施の形態のハンディクリーナを半割り面にて示す内部図である。
【図３】図２のハンディクリーナを半割り交差面によって示す内部図である。
【図４】第２の実施の形態のハンディクリーナを半割り面にて示す内部図である。
【図５】図４のハンディクリーナを半割り交差面によって示す内部図である。
【図６】ベース部材を後側斜視にて示す第３の実施の形態の斜視図である。
【図７】図６のベース部材の後側壁を一部切り欠いて共鳴室を示す斜視図である。
【図８】ベース部材を後側斜視にて示す第４の実施の形態の斜視図である。
【図９】図８のベース部材の後側壁を一部切り欠いて共鳴室を示す斜視図である。
【図１０】ベース部材を後側斜視にて示す第５の実施の形態の斜視図である。
【発明を実施するための形態】
【００１３】
［第１の実施の形態］
以下に、本発明に係るハンディクリーナを実施するための第１の実施の形態について、図１〜図３を参照しながら説明する。
図１は、ハンディクリーナ１０の前面斜視の外観を示す外観斜視図である。図２は、第１の実施の形態のハンディクリーナ１０の内部を半割り面より示す内部図である。図３は、第１の実施の形態のハンディクリーナ１０の内部を半割り交差面より示す内部図である。なお、図示規定されるように、このハンディクリーナ１０のうち、グリップ部２５配設側がハンディクリーナ１０の上側として規定しており、吸塵口１３１配設側がハンディクリーナ１０の前側として規定している。図１に示すように、ハンディクリーナ１０は、手持ち式小型掃除機とも称され、ユーザの手に持って使用するものである。このハンディクリーナ１０は、概略、クリーナ本体１１と、クリーナ本体１１と、ノズルボックス１３と、バッテリパック１５とを備える。クリーナ本体１１は、次に詳述するハウジング２０と送風機構３０（図２参照）とを具備して構成される。ノズルボックス１３は、クリーナ本体１１の前側に取り付けられる。ノズルボックス１３は、前端に吸塵口１３１が設けられつつ略カップ状に形成される。吸塵口１３１は、送風機構３０により発生させた吸塵のための風（負圧の吸引風）により塵埃を吸い込む口として構成される。ノズルボックス１３の内部は、クリーナ本体１１の前面に位置する集塵室（不図示）が形成されている。この集塵室は、吸塵口１３１から吸塵された塵埃を集めるダストボックスとして機能する。バッテリパック１５は、クリーナ本体１１に対して着脱可能に構成される充電式リチウムイオンバッテリである。なお、図１に示す符号１９は、ストラップである。
【００１４】
クリーナ本体１１は、図１〜図３に示すように、概略、ハウジング２０と、このハウジング２０内に装置される送風機構３０とを備える。図１に示すように、ハウジング２０は、送風機構３０を内蔵する筐体として構成されつつ、クリーナ本体１１の外装をなす。このハウジング２０は、プラスチック樹脂の成形品であり、略対称構造にて分割された半割り成形品を合体させて形成される。詳しくは、ハウジング２０は、吸塵口１３１配設側となる前端側からバッテリパック１５装着側となる後端側に向けて左右対称に分割されるように、左右半分に割った構造の成形品を合体させることにより形成される。具体的には、ハウジング２０は、図１に示すように左右対称の分割成形品となる、左側半割りハウジング２１と右側半割りハウジング２２とを合体させることにより形成される。また、このハウジング２０の前側は、ノズルボックス１３を取り付けることができるように形成されており、ハウジング２０の下側は、バッテリパック１５が装着できるように形成されている。また、このハウジング２０の上部には、ユーザにより手握りされるグリップ部２５が形成されている。このグリップ部２５は、手握りにより把持することができるグリップ形状にて形成されている。このグリップ部２５には、図２に示すように、ハンディクリーナ１０を操作するためのトリガ形の操作スイッチ２６が設けられている。この操作スイッチ２６は、次に説明する送風機構３０を操作するスイッチである。この操作スイッチ２６は、手握りによりグリップ部２５を把持した際のユーザの人差し指の位置設定されている。このため、操作スイッチ２６は、ピストルのトリガのように引き操作できるようになっている。この操作スイッチ２６の前側には、制御装置２７が設けられている。この制御装置２７は、操作スイッチ２６から送られる操作入力に応じて、後に説明する送風機構３０の駆動モータ３１の駆動を制御する。なお、送風機構３０の駆動モータ３１は、この制御装置２７の下側に位置するようになっている。
【００１５】
また、この駆動モータ３１（送風機構３０）の後側に位置するハウジング２０の幅方向の両側には、排気口２８が設けられている。この排気口２８は、送風機構３０にて発生させた吸引風の風をハウジング２０内からハウジング２０外に排気するためのものである。このため、この排気口２８が設けられる位置としては、駆動モータ３１から僅かに後側となる位置に設定されている。また、この駆動モータ３１から排気口２８までの区間には、これらの区間の通気性を良好とするために、障害物となるような電気部材は配設されていない。つまり、駆動モータ３１から排気口２８までの区間は、通気性を良好とするために、適宜の通気空間が保持されている。なお、排気口２８は、ハウジング２０としての剛性を保ちつつハウジング２０内外を連通させるように、並列する通気スリットを複数設けることにより形成されている。なお、この排気口２８の後側に、バッテリパック１５が装着される。
なお、左側半割りハウジング２１と右側半割りハウジング２２とは、上記したグリップ部２５の形状を具備しているほか、後に説明する共鳴器４０の形状も具備しており、これらグリップ部２５および共鳴器４０を一体化するように成形されている。つまり、これらグリップ部２５および共鳴器４０を具備して成形されるハウジング２０は、これらグリップ部２５および共鳴器４０を含めた半割り構造にて形成されている。
【００１６】
このように形成されたハウジング２０の内部には、次に説明する送風機構３０が装置される。なお、この送風機構３０は、クリーナ本体１１の前端側に配置されており、後側に設けられる排気口２８に風を送る。なお、送風機構３０の後端は駆動モータ３１が位置しているため、この排気口２８の前側に駆動モータ３１が位置するものとなっている。
図２に示すように、送風機構３０は、概略、駆動モータ３１と、ファンユニット３３とを備え、吸塵のための風を発生させる。駆動モータ３１は、電動ブラシモータである。この駆動モータ３１は、操作スイッチ２６からの操作入力を受けて上記したバッテリパック１５からの電力が供給され、回転駆動軸３２を回転駆動させる。この回転駆動軸３２は、ファンユニット３３の遠心式ファン３７の回転軸として構成される。なお、図２にあっては、駆動モータ３１に関する配線についての図示を省略している。ファンユニット３３は、概略、ベース部材３５と、ファンカバー３６と、遠心式ファン３７とを備える。ベース部材３５は、上記したハウジング２０に固定される部材であり、回転駆動軸３２を回転可能に軸支持している。ファンカバー３６は、ベース部材３５の前面側に取り付けられる部材であり、遠心式ファン３７が収容される収容室を形成する部材である。このため、ファンカバー３６は、前面部分において、収容される遠心式ファン３７により吸気することができるように開口した吸気側開口形状を有して形成されている。また、ベース部材３５は、外周近傍に排気路口（図６における符号６１を参照）が形成されている。この排気路口は、遠心式ファン３７が回転駆動することによりファンユニット３３前側から吸気された風をファンユニット３３の後側に排気するためのものである。
遠心式ファン３７は、回転軸としての回転駆動軸３２に取り付けられており、この回転駆動軸３２からの回転駆動力を受けて回転する。また、この回転駆動軸３２は、ベース部材３５に回転可能に支持されており、駆動モータ３１からの回転駆動力を受けて回転する。この遠心式ファン３７は、いわゆるターボファンである。この遠心式ファン３７は、回転駆動軸３２からの回転駆動により、上記したファンカバー３６の吸気側開口形状から空気を吸気し遠心方向の排気側通気路形状に吸気した空気を排気する。このようにして、ハウジング２０内に装置された送風機構３０は、吸塵のための吸引風を発生させる。また、この送風機構３０は、遠心式ファン３７が回転することにより、２０００Ｈｚ以上となる高周波の音を発生させる。この２０００Ｈｚ以上となる高周波の音は上記した耳障りな音であり、本発明に係る共鳴器にて低減したい音である。
【００１７】
ところで、上記したハウジング２０には、上記した消音周波数ｆを低減する共鳴器４０が設けられている。この共鳴器４０は、上記した排気口２８の後端位置にハウジング２０の一部として、ハウジング２０と一体化して設けられている。このため、この共鳴器４０は、駆動モータ３１（送風機構３０）から排気口２８までの区間における通気空間を良好に保持しながら、この排気口２８の後側に近接して設けられている。なお、この共鳴器４０が配設される排気口２８の後端位置は、上記したグリップ部２５の下側位置でもあり、バッテリパック１５の前側位置でもある。つまり、ハウジング２０の形状のうち、バッテリパック１５の嵩張りからデッドスペースとなる部分である。
この第１の実施の形態の共鳴器４０は、いわゆる『ヘルムホルツ型』の共鳴器である。この共鳴器４０は、図２および図３に示すように、内部空間が共鳴室４００として機能する略直方体形状にて形成されている。ここで、この略直方体形状をなす側壁のうち送風機構３０と対向する側壁には、このハウジング２０内と共鳴室４００とを連通する円形孔４５が設けられている。このように形成されたヘルムホルツ型の共鳴器４０は、次の［式１］にて求められる周波数ｆの音を低減するように機能する。
つまり、消音周波数ｆは、次のようにして設定される。
【数１】
2012120634.tif 000003
【００１８】
このヘルムホルツ型の共鳴器４０は、上記したハウジング２０の内部側の一部構造として形成される。この共鳴器４０は、図３に示すようにハウジング２０を形成する半割り成形品の合体によって共鳴室４００を形成しながら構成される。すなわち、ハウジング２０の半割り成形品となる左側半割りハウジング２１には、左側半割りハウジング２１内部の一部構造として、左側半割り構造となる共鳴器左側体４１が成形されている。また、ハウジング２０の半割り成形品となる右側半割りハウジング２２には、右側半割りハウジング２２内部の一部構造として、右側半割り構造となる共鳴器右側体４２が成形されている。このため、これら左側半割りハウジング２１と右側半割りハウジング２２とを合体させると、ハウジング２０となる筐体構造を形成するとともに、共鳴器左側体４１と共鳴器右側体４２とを合体させて共鳴器４０を形成する。つまり、ハウジング２０が形成されると同時に、共鳴室４００も形成され、もって共鳴器４０を形成するものとなっている。
なお、共鳴器左側体４１および共鳴器右側体４２のそれぞれの内部には、これら共鳴器左側体４１と共鳴器右側体４２とを合体させた際に、共鳴室４００としての内部空間が自動的に形成されるように適宜の空間が設けられて成形されている。また、これら共鳴器左側体４１と共鳴器右側体４２とは、左側半割りハウジング２１と右側半割りハウジング２２と同様、互いが略対称構造にて分割されるような構造にて形成されている。
このように、共鳴室４００としての内部空間が設けられながら形成される共鳴器４０は、上記した駆動モータ３１（送風機構３０）に向く側壁に、共鳴室４００と通じる円形孔４５が設けられている。この円形孔４５は、図３に示すように、共鳴器４０の送風機構３０に向く側壁を穿つようにして設けられている。この円形孔４５は、送風機構３０から排気口２８までの区間における通気空間と、共鳴器４０の内部空間となる共鳴室４００とを通じさせている。ここで、この円形孔４５は、開口方向が送風機構３０に向くように設定されている。
【００１９】
上記した第１の実施の形態のハンディクリーナ１０によれば、次のような作用効果を奏することができる。
すなわち、上記したハンディクリーナ１０によれば、ハウジング２０の半割り成形品（左側半割りハウジング２１、右側半割りハウジング２２）を合体させて共鳴室４００を形成することによりハウジング２０に共鳴器４０が配設される。これによって、共鳴器４０を配設するに際して、ハウジング２０の形成と同時に共鳴器４０を形成することができる。なお、この共鳴器４０は、送風機構３０により生ずる音を低減する機能を有しているので、排気口２８に遮音のための通気スポンジを取り付ける必要を無くすことができる。したがって、このハンディクリーナ１０によれば、耳障りな音の音量を低減する機能を、吸塵機能を損なうことなく且つ手持ち式となる小型の掃除機のサイズに対応させて付加することができる。また、上記した共鳴室４００は、内部を空洞化した構造にて形成される。ここで、半割り成形品の合体させるハウジング構造は、内部を空洞化する筐体構造や共鳴室構造に有利な形成方法である。このため、この半割り成形品を合体させるハウジング構造を用いてハウジング２０と共鳴室４００との両者を同時に形成した場合には、内部が空洞化したハウジング２０と共鳴器４０との製造を簡単化することができ、共鳴器４０を取付ける部材を削減して共鳴室の拡張も図ることができる。
【００２０】
［第２の実施の形態］
次に、本発明に係るハンディクリーナを実施するための第２の実施の形態について、図４および図５を参照しながら説明する。図４は、第２の実施の形態のハンディクリーナ１０Ａの内部を半割り面より示す内部図である。図５は、第２の実施の形態のハンディクリーナ１０Ａの内部を半割り交差面より示す内部図である。ここで、図４および図５に示す第２の実施の形態のハンディクリーナ１０Ａは、上記した第１の実施の形態のハンディクリーナ１０における共鳴器４０の構成を以下に説明する共鳴器５０に置換した変形例である。このため、ハンディクリーナ１０Ａの共鳴器５０以外の構成については、上記した第１の実施の形態のハンディクリーナ１０と同一に構成されており、以下においては同一の符号を付すことにより同一の構成についての説明を省略する。
つまり、第１の実施の形態のハンディクリーナ１０の共鳴器４０は、いわゆる『ヘルムホルツ型』の共鳴器で構成されていたのに対し、この第２の実施の形態のハンディクリーナ１０Ａの共鳴器５０は、いわゆる『サイドブランチ型』の共鳴器で構成されるものである。この共鳴器５０は、上記した第１の実施の形態の共鳴器４０と同様、送風機構３０により生じる耳障りな音を低減するものであり、内部空間が共鳴室５５０，５６０，５７０，５８０として機能する有底筒形状にて形成される。この共鳴器５０は、上下に４つ並列させて設けられている。
【００２１】
具体的には、図４および図５に示すように、第１の共鳴器５５，第２の共鳴器５６，第３の共鳴器５７，第４の共鳴器５８が、上下に４つ並列一体化されるように形成されている。これらの第１〜第４の共鳴器５０（５５，５６，５７，５８）は、図４に示すように、前端側が開口し且つ後端側が閉塞して有底状とされつつ、この前後方向に筒形状が延びるように形成されている。これらの第１〜第４の共鳴器５５，５６，５７，５８は、上記した第１の実施の形態の共鳴器４０と同じ位置に設定されて形成されている。つまり、第１〜第４の共鳴器５５，５６，５７，５８は、上記した排気口２８の後端位置にハウジング２０の一部として、ハウジング２０と一体化して設けられている。この第１〜第４の共鳴器５５，５６，５７，５８は、開口形状が図５に示すように直方形の形状に設定されており、開口方向は図４に示すように送風機構３０に向くように設定されている。このように有底筒状に形成されたサイドブランチ型の第１〜第４の共鳴器５５，５６，５７，５８は、次の［式２］にて求められる周波数ｆの音を低減するように機能する。
つまり、消音周波数ｆは、次のようにして設定される。
【数２】
2012120634.tif 000004
【００２２】
これらサイドブランチ型の第１〜第４の共鳴器５５，５６，５７，５８は、上記したハウジング２０の内部側の一部構造として形成される。この第１〜第４の共鳴器５５，５６，５７，５８は、図５に示すようにハウジング２０を形成する半割り成形品の合体によって共鳴室５５０，５６０，５７０，５８０を形成しながら構成される。すなわち、ハウジング２０の半割り成形品となる左側半割りハウジング２１には、左側半割りハウジング２１内部の一部構造として、左側半割り構造となる共鳴器左側体５１が成形されている。また、ハウジング２０の半割り成形品となる右側半割りハウジング２２には、右側半割りハウジング２２内部の一部構造として、右側半割り構造となる共鳴器右側体５２が成形されている。このため、これら左側半割りハウジング２１と右側半割りハウジング２２とを合体させると、ハウジング２０となる筐体構造を形成するとともに、共鳴器左側体５１と共鳴器右側体５２とを合体させて第１〜第４の共鳴器５５，５６，５７，５８を形成する。つまり、ハウジング２０が形成されると同時に、共鳴室５５０，５６０，５７０，５８０も形成され、もって第１〜第４の共鳴器５５，５６，５７，５８を形成するものとなっている。
なお、共鳴器左側体５１および共鳴器右側体５２のそれぞれの内部には、これら共鳴器左側体５１と共鳴器右側体５２とを合体させた際に共鳴室５５０，５６０，５７０，５８０としての内部空間が自動的に形成されるように適宜の空間が設けられて成形されている。また、これら共鳴器左側体５１と共鳴器右側体５２とは、左側半割りハウジング２１と右側半割りハウジング２２と同様、互いが略対称構造にて分割されるような構造にて形成されている。
また、図４に示すように、最上段の第１の共鳴器５５の内部の深さは、最下段の第４の共鳴器５８の内部の深さよりも僅かに短く設定されている。なお、このように構成された第２の実施の形態のハンディクリーナ１０Ａによっても、上記した第１の実施の形態のハンディクリーナ１０と同様の作用効果を奏することができる。また、この第２の実施の形態のハンディクリーナ１０Ａによれば、４つ並列して設けることができるので、消音したい周波数の音（耳障りな音）を複数の範囲で設定して消音することができる。
【００２３】
［第３の実施の形態］
上記した第１および第２の実施の形態にあっては、共鳴器４０，５０がハウジング２０に対して配設される例について説明した。次に説明する第３〜第５の実施の形態にあっては、共鳴器６５，７５，８５が、送風機構３０のベース部材６０，７０，８０に対して配設される例である。このため、以下においては、上記したハンディクリーナ１０のうち、送風機構３０を構成する各種のベース部材６０，７０，８０をスポット的に説明することとする。なお、以下に説明する第３〜第５の実施の形態にあっては、ベース部材６０，７０，８０以外の構成については、上記した第１の実施の形態のハンディクリーナ１０と同一に構成される。このため、以下においては、ベース部材６０，７０，８０についてのみを上記した第１の実施の形態のハンディクリーナ１０と相違する符号を付して説明するものとし、上記したハンディクリーナ１０と同一に構成される部分については同一の符号を付して説明を省略する。
つまり、以下に説明する第３〜第５の実施の形態のベース部材６０，７０，８０は、第１の実施の形態にて説明した送風機構３０を構成するベース部材３５に相当する部分をスポット的に例示している。これら第３〜第５の実施の形態のベース部材６０，７０，８０には、共鳴器６５，７５，８５が配設される。これらの共鳴器６５，７５，８５は、上記した遠心式ファン３７の回転により生じる音を低減するように機能するものであり、ベース部材６０，７０，８０に共鳴室６５０，７５０，８５０を形成することによりベース部材６０，７０，８０に配設される。
【００２４】
第３の実施の形態の送風機構３０を構成するベース部材６０について説明する。
図６は、送風機構３０を構成するための第３の実施の形態のベース部材６０を後側斜視にて示すものである。図７は、図６の共鳴器６５を形成する後側壁６７を一部切り欠くことにより共鳴器６５の内部（共鳴室６５０）を示している。
図６および図７に示すように、上記した送風機構３０を構成するベース部材６０には、ハンディクリーナに内蔵される共鳴器６５が配設されている。このベース部材６０は、第１の実施の形態にて説明したように、上記したハウジング２０に固定される部材であり、遠心式ファン３７を回転駆動させる回転駆動軸３２（図２参照）を軸支持する。このベース部材６０は、第１の実施の形態にて説明したように、外周近傍に排気路口６１が形成されている。この排気路口６１は、上記したように、ファンユニット３３前側から吸気された風をファンユニット３３の後側に排気するためのものである。
ここで図６および図７に示すように、ベース部材６０には、従前の通りの補強リブ６３が形成されている。この補強リブ６３は、ベース部材６０自身の剛性を高めるためのものであり、ハウジング２０に配設した状態のベース部材６０の前後方向に延在するように設けられている。つまり、この補強リブ６３は、中心から径方向外側に螺旋を描きながら帯状に延びる第１補強リブ６３１と、径方向外側位置に周方向に沿って帯状に延びる第２補強リブ６３２と、径方向内側位置に周方向に沿って帯状に延びる第３補強リブ６３３と、を具備して形成される。この補強リブ６３は、ハウジング２０に配設した状態のベース部材６０の前後方向と一致する方向を帯幅とするように延在する。また、これらの補強リブ６３同士が交差する部分は、互いに結合するように成形されて形成されている。
【００２５】
このようにベース部材６０には、共鳴室６５０を形成することにより、遠心式ファン３７の回転により生じる音を低減する共鳴器６５が配設されている。つまり、ベース部材６０には、ベース部材６０に設けられた補強リブ６３（補強リブ６３１，第２補強リブ６３２，第３補強リブ６３３）を仕切り壁として利用することにより共鳴室６５０が形成されており、もってベース部材６０に共鳴器６５が配設されるものとなっている。具体的には、共鳴室６５０を構成するための六面の側壁は次のようにして形成されており、もって共鳴器６５をなしている。すなわち、図７に示すように、ハウジング２０に配設した状態のベース部材６０の前側部分が共鳴室６５０の前側壁６６として機能している。また、ベース部材６０の第１補強リブ６３１，第２補強リブ６３２，第３補強リブ６３３が共鳴室６５０の４つの側壁として機能している。また、このベース部材６０には、ベース部材６０の第１補強リブ６３１，第２補強リブ６３２，第３補強リブ６３３の後端部分同士を互いに接続するように、前側壁６６と平行となる後側壁６７が形成されている。
【００２６】
このようにして、前側壁６６と、補強リブ６３（第１補強リブ６３１、第２補強リブ６３２、第３補強リブ６３３）による４つの側壁と、後側壁６７とにより、共鳴室６５０を形成し、もって共鳴器６５をなしている。ここで、この共鳴器６５は、補強リブ６３によって仕切られて形成されるものであるため、このベース部材６０には１０室の共鳴室６５０が形成されており、もって１０個の共鳴器６５が配設されるものとなっている。また、このように形成された共鳴器６５のそれぞれには、内部の共鳴室６５０のそれぞれと連通する連通孔６８が設けられている。この連通孔６８は、上記した第１の実施の形態における円形孔４５に相当する部分であり、１０室の共鳴室６５０に対応した１０個の共鳴器６５ごとに設けられている。具体的には、連通孔６８は、共鳴器６５ごとの後側壁６７にそれぞれ設けられている。この第３の実施の形態の連通孔６８は、共鳴器６５ごとの後側壁６７に設けられている。この連通孔６８は、上記した円形孔４５と同様に円形にて形成されている。なお、この共鳴器６５は、ヘルムホルツ型の共鳴器であるため、連通孔６８の孔の大きさは、低減したい音の周波数ｆに基づいて上記した［式１］にて導き出された大きさにて設定されている。なお、図６および図７に示す符号６９１は、駆動モータ３１を保持するための保持リブである。また、図６および図７に示す符号６９２は、駆動モータ３１の回転駆動軸３２を突き出させるための軸突出孔である。
【００２７】
上記した第３の実施の形態のベース部材６０を具備するハンディクリーナによれば、次のような作用効果を奏することができる。
第３の実施の形態のベース部材６０を具備するハンディクリーナによれば、遠心式ファン３７の回転により生じる音を低減する共鳴器６５が、ベース部材６０に共鳴室６５０を形成することによりベース部材６０に配設される。これにより、ハウジング２０内に組み込みたい共鳴器６５を、音源となる遠心式ファン３７の近くに効率良く配設することができて配設サイズの小型化を図ることができる。これによって、遠心式ファン３７の回転により生じる耳障りな音を低減することができて、排気口２８に遮音のための通気スポンジを取り付ける必要を無くすことができる。したがって、この第３の実施の形態のベース部材６０を具備するハンディクリーナによれば、耳障りな音の音量を低減する機能を、吸塵機能を損なうことなく且つ手持ち式となる小型の掃除機のサイズに対応させて付加することができ、共鳴室６５０を効率良く形成することができて携帯性が重視されるハンディクリーナにとって有利となる。
また、第３の実施の形態のベース部材６０を具備するハンディクリーナによれば、ベース部材６０にはベース部材６０自身の剛性を高める補強リブ６３（第１補強リブ６３１、第２補強リブ６３２、第３補強リブ６３３）が形成されており、共鳴室６５０は補強リブ６３を仕切り壁として利用して形成されている。これによって、ハウジング２０内に組み込まれる共鳴器６５の共鳴室６５０を、従前から配設される補強リブ６３を利用して形成することができる。なお、この補強リブ６３は、ベース部材６０自身の剛性を高めつつベース部材６０の軽量化を図るために設けられるものであるため、この補強リブ６３の周囲は、いわゆる肉抜き（余分な樹脂部分が抜かれた）構造となっている。このため、従前においては、共鳴室６５０の形成に有利な肉抜きのデッドスペースとなっている。これによって、この補強リブ６３を仕切り壁として利用して共鳴室６５０を形成すると、このデッドスペースを有効的に活かすこととなり、省スペースで共鳴器を形成することができることとなる。これによって、携帯性が重視されるハンディクリーナにとって、このハンディクリーナの小型化を維持したまま、共鳴器６５を形成することができる。また、上記した第１補強リブ６３１にあっては、１つではなく複数形成されるものであるので、共鳴室６５０を簡単に複数形成することができる。なお、共鳴室６５０は、同一種類のもので複数形成されるものであってもよいし、複数種類のもので複数形成されるものであってもよい。これによって、共鳴室６５０の数が増えることによって、音量という点からも音域という点からも、耳障りな音の音量を低減する機能をより高めることができる。
【００２８】
［第４の実施の形態］
次に、第４の実施の形態の送風機構３０を構成するベース部材７０について説明する。
図８は、送風機構３０を構成するための第４の実施の形態のベース部材７０を後側斜視にて示すものである。図９は、図８の共鳴器７５を形成する後側壁６７を一部切り欠くことにより共鳴器７５の内部（共鳴室７５０）を示している。なお、この第４の実施の形態のベース部材７０は、上記した第３の実施の形態のベース部材６０と比較して、連通孔７８の配設位置が相違するのみの変形例である。このため、上記した第３の実施の形態と同一に構成される部分については同一の符号を付して説明を省略する。すなわち、第３の実施の形態の連通孔６８は、共鳴器６５ごとの後側壁６７に設けられていたのに対し、第４の実施の形態の連通孔７８は、共鳴器７５ごとの第２補強リブ６３２に設けられている。この連通孔７８は、上記した連通孔６８と同様に円形にて形成されている。なお、この共鳴器７５も、上記した第３の実施の形態の共鳴器６５と同様、ヘルムホルツ型の共鳴器であるため、連通孔７８の孔の大きさは、低減したい音の周波数ｆに基づいて上記した［式１］にて導き出された大きさにて設定されている。
この第４の実施の形態のベース部材７０を具備するハンディクリーナによれば、共鳴器７５の連通孔７８を排気路口６１に近接させているので、風が送られる通気路上に連通孔７８を配置させることができる。これによって、共鳴器７５の連通孔７８を音の通り道として最も効率の良い位置に配置することができて、遠心式ファン３７の回転により生じる音を最も効率良く低減することができる。
【００２９】
［第５の実施の形態］
次に、第５の実施の形態の送風機構３０を構成するベース部材８０について説明する。
図１０は、送風機構３０を構成するための第５の実施の形態のベース部材８０を後側斜視にて示すものである。この図１０では、共鳴器８５を形成する後側壁６７を一部切り欠くことにより共鳴器８５の内部（共鳴室８５０）を示している。なお、この第５の実施の形態のベース部材７０は、上記した第４の実施の形態のベース部材６０と比較して、共鳴室８５０の内部形状および連通孔８８の配設形状のみが相違する。なお、この共鳴器８５は、上記した第３および第４の実施の形態の共鳴器６５，７５とは相違するサイドブランチ型の共鳴器である。このため、第５の実施の形態のベース部材８０において、上記した第４の実施の形態と同一に構成される部分については同一の符号を付して説明を省略する。すなわち、第５の実施の形態の共鳴器８５は、共鳴室８５０が図１０に示すように迷路状にて形成されている。具体的には、共鳴器８５内部の共鳴室８５０は、第１補強リブ６３１から周方向に沿って千鳥状で交互に一部延ばした管路リブ８３１，８３２が形成されている。この管路リブ８３１，８３２により共鳴器８５内部の共鳴室８５０は、管路形状をなしてサイドブランチ型の共鳴器を構成する。なお、第５の実施の形態の連通孔８８は、共鳴器８５内部の共鳴室８５０の管路形状の外部端に位置するように配設されており、開口形状としては四角形にて形成されている。なお、この第５の実施の形態の共鳴器８５内部の共鳴室８５０の管路形状は、低減したい音の周波数ｆに基づいて上記した［式２］にて導き出された長さにて設定されている。
この第５の実施の形態のベース部材８０を具備するハンディクリーナによれば、上記した第４の実施の形態のベース部材７０と同様、共鳴器８５の連通孔８８を排気路口６１に近接させているので、風が送られる通気路上に連通孔８８を配置させることができる。これによって、共鳴器７５の連通孔７８を音の通り道として最も効率の良い位置に配置することができて、遠心式ファン３７の回転により生じる音を最も効率良く低減行することができる。なお、第５の実施の形態のベース部材８０は、サイドブランチ型にて構成されるため、ヘルムホルツ型と相違してサイドブランチ型の利点を享受できる。
【００３０】
なお、本発明に係るハンディクリーナにあっては、上記した実施の形態に限定されるものではなく、次のように適宜個所を変更して構成するようにしてもよい。
例えば第３〜第５の実施の形態の共鳴器６５，７５，８５にあっては、ファンユニット３３を構成するベース部材６０，７０，８０に対して一体成形されることにより形成されるものであった。しかしながら、共鳴室６５０，７５０，８５０を形成する共鳴器６５，７５，８５としては、このベース部材とは切り離された別体部品で形成されてもよい。つまり、本発明に係る共鳴器としては、送風機構をハウジングに固定するにあたってのベース部材に対して配設されるものであればよく、ベース部材と分離されない一体成形品であっても、ベース部材に対して接着させた別体部品であってもよい。
【符号の説明】
【００３１】
１０，１０Ａ  ハンディクリーナ
１１  クリーナ本体
１３  ノズルボックス
１３１  吸塵口
１５  バッテリパック
１９  ストラップ
２０  ハウジング
２１  左側半割りハウジング
２２  右側半割りハウジング
２５  グリップ部
２６  操作スイッチ
２７  制御装置
２８  排気口
３０  送風機構
３１  駆動モータ
３２  回転駆動軸
３３  ファンユニット
３５，６０，７０，８０  ベース部材
３６  ファンカバー
３７  遠心式ファン
４０，５０（５５，５６，５７，５８），６５，７５，８５  共鳴器
４００，５５０，５６０，５７０，５８０，６５０，７５０，８５０  共鳴室
４１，５１  共鳴器左側体
４２，５２  共鳴器右側体
４５  円形孔
６１  排気路口
６３（６３１，６３２，６３３）  補強リブ
６６  前側壁
６７  後側壁
６８，７８，８８  連通孔
６９１  保持リブ
６９２  軸突出孔
８３１，８３２  管路リブ
ｆ  消音周波数
【図１】
2012120634.tif 000005
【図２】
2012120634.tif 000006
【図３】
2012120634.tif 000007
【図４】
2012120634.tif 000008
【図５】
2012120634.tif 000009
【図６】
2012120634.tif 000010
【図７】
2012120634.tif 000011
【図８】
2012120634.tif 000012
【図９】
2012120634.tif 000013
【図１０】
2012120634.tif 000014